(57)【要約】【課題】  カートリッジの装填時の記録材料先端部の折れを起因とするジャム等の搬送トラブルを回避可能な画像記録装置を提供する。【解決手段】  この画像記録装置は、記録紙をロール状に巻回した状態で記録材料給送口から引き出し可能に収容したカートリッジを装填する装填部を備え、記録材料給送口を下向きにしてカートリッジを装填部の装置前面側の装填開口１２ａから装填するものであり、記録材料給送口から出た記録紙の先端部を装填開口から装填部の内部に向けてガイドするガイド部材７１を設け、ガイド部材は、ロール状に巻回した記録紙の先端部に生じたカール部分が当接しながら装填開口から内部に向かうに従ってカール部分を平坦に近づけるように傾斜している傾斜面７３，７２を有する。【選択図】  図４
2006047905.tif 000002
【特許請求の範囲】
【請求項１】
シート状の記録材料をロール状に巻回した状態で記録材料給送口から引き出し可能に収容したカートリッジを装填する装填部を備え、前記記録材料給送口を下向きにして前記カートリッジを前記装填部の装置前面側の装填開口から装填するように構成された画像記録装置であって、
前記記録材料給送口から出た記録材料の先端部を前記装填開口から前記装填部の内部に向けてガイドするガイド部材を設け、
前記ガイド部材は、前記ロール状に巻回した記録材料の先端部に生じたカール部分が当接しながら前記装填開口から前記内部に向かうに従って前記カール部分を平坦に近づけるように傾斜している傾斜面を有することを特徴とする画像記録装置。
【請求項２】
前記ガイド部材は前記装填開口から前記装填部の内部に向けて前記記録材料の先端部が通過する通路空間を形成し、
前記傾斜面は、前記通路空間が前記装填開口で広く前記内部に向けて狭くなるように傾斜するとともに、前記装填開口の上下方向で下部側が上部側よりも広く、前記内部に向けてねじれるよう前記下部側も次第に狭くなるように傾斜している請求項１に記載の画像記録装置。
【請求項３】
前記装填されたカートリッジから前記記録材料を画像形成部に向けて給送するように前記装填部の近傍に一対のローラから構成される搬送ローラ対を配置した請求項１または２に記載の画像記録装置。
【請求項４】
前記搬送ローラ対において前記ロール状に巻回した記録材料の先端部に生じたカールが向く側に位置するローラを摩擦抵抗の少ない滑り性ある材質から構成し、もう一方のローラを摩擦抵抗の高い材質のローラから構成し、
前記カートリッジの装填のときに前記摩擦抵抗の高い材質のローラを圧着解除方向に移動させることで、前記搬送ローラ対に記録材料装填のための隙間を形成する請求項３に記載の画像記録装置。
【請求項５】
前記記録材料の先端部を前記ガイド部材から更に前記カールが向く側に位置するローラに向けてガイドするガイド部が設けられている請求項４に記載の画像記録装置。
【発明の詳細な説明】
【技術分野】
【０００１】
本発明は、シート状の記録材料をロール状に巻回した状態で収容したカートリッジを装填する画像記録装置に関するものである。
【背景技術】
【０００２】
下記特許文献１は、ロール状の記録材料に画像を記録する画像記録装置を開示から奥側へ向けて開閉可能で下側に遮光カバー開口部を有する記録材料遮光用カバーと、ロール状の記録材料を収容する記録材料箱の材料引き出し口を下向きにし遮光カバー開口部に沿ってから手前側から奥側に押して記録材料の先端を記録材料挿入口に掃入して装填するセット部と、装填した記録材料を搬送方向へ引き出す搬送ローラ対と、記録材料の先端を所定量引き出した後にカットするカッタ部とを備えている。また、上記搬送ローラ対は、記録材料の巻芯カール側をゴムローラ、反対側の移動側ローラを滑り性の良いベークローラあるいはゴムローラ同士の組み合わせを使用していた。また、材料箱案内ガイドもなく、搬送用案内ガイドも上下方向の隙間のみ変化し、材料幅方向、即ち遮光カバー開口部の手前側から奥側は一定間隔となっている。
【０００３】
ところで、上記搬送ローラ対の巻き芯カール側がゴムローラであると、記録材料のカールが強い場合、先端が引っ掛かり易く、カートリッジを装填した後、記録材料の端部が折れて搬送ジャムの原因となる。また、カートリッジから記録材料を搬送ローラ対に届く距離まで引き出した後に、カートリッジを下向きに装填するため、カートリッジを装置へ装填する作業中に記録材料の先端がセット部の周辺部材に接触し折れる可能性がある。この対策として、特許文献１の画像記録装置は、記録材料箱を遮光カバー開口部の手前側から奥側に案内する案内ガイドを備えている。
【０００４】
上記記録材料箱は、例えば、下記特許文献２のように、搬送ローラ対を装置内に略水平方向に配置し、ロール状に巻回された記録材料の装填方向を搬送ローラの軸方向とするカートリッジとすることができる。
【０００５】
しかし、上述の記録材料箱（カートリッジ）の案内ガイドによれば、記録材料箱を装填する際に記録材料の先端のカールが強いと、記録材料の先端が搬送ローラ対に折れたままで挟持されてしまうことがあり、かかる記録材料の折れは搬送トラブル（ジャム）の原因となるため、更なる記録材料の先端折れ対策が必要とされている。
【特許文献１】特開２０００−９８５０３号公報
【特許文献２】特開２００３−７５９２１号公報
【発明の開示】
【発明が解決しようとする課題】
【０００６】
本発明は、上述のような従来技術の問題に鑑み、カートリッジの装填時の記録材料先端部の折れを起因とするジャム等の搬送トラブルを回避可能な画像記録装置を提供することを目的とする。
【課題を解決するための手段】
【０００７】
上記目的を達成するために、本発明による画像記録装置は、シート状の記録材料をロール状に巻回した状態で記録材料給送口から引き出し可能に収容したカートリッジを装填する装填部を備え、前記記録材料給送口を下向きにして前記カートリッジを前記装填部の装置前面側の装填開口から装填するように構成された画像記録装置であって、前記記録材料給送口から出た記録材料の先端部を前記装填開口から前記装填部の内部に向けてガイドするガイド部材を設け、前記ガイド部材は、前記ロール状に巻回した記録材料の先端部に生じたカール部分が当接しながら前記装填開口から前記内部に向かうに従って前記カール部分を平坦に近づけるように傾斜している傾斜面を有することを特徴とする。
【０００８】
この画像記録装置によれば、記録材料の先端部が記録材料給送口からカール状になって出た状態でカートリッジを装填部の装置前面側の装填開口から内部に装填する際に、記録材料の先端部のカール部分がガイド部材の傾斜面に当接しながら内部に向かうにつれて平坦に近づくことができるので、記録材料の先端部にカールが付いていても、先端部が折れずに内部に案内され、先端部の折れに起因するジャム等の搬送トラブルを回避できる。
【０００９】
上記画像記録装置において、前記ガイド部材は前記装填開口から前記装填部の内部に向けて前記記録材料の先端部が通過する通路空間を形成し、前記傾斜面は、前記通路空間が前記装填開口で広く前記内部に向けて狭くなるように傾斜するとともに、前記装填開口の上下方向で下部側が上部側よりも広く、前記内部に向けてねじれるよう前記下部側も次第に狭くなるように傾斜している構成にできる。このように傾斜面がカートリッジの上方から見て通路空間が装填開口で広く内部に向けて狭くなるように傾斜するとともに、装置前面から見て装填開口の上下方向で下部側が上部側よりも広くし、内部に向けてねじれるよう下部側も次第に狭くなるように傾斜することで、記録材料の先端部のカール部分は、装填の始めに通路空間の広い下部側で折れることなくガイド部材に当接し、内部に装填されるにつれて内部に向けて通路空間が狭くなる傾斜面に倣うことで、平坦に近づくよう変形するので、記録材料の先端部にカールが付いていても、先端部が折れずに内部に案内され、先端部の折れに起因するジャム等の搬送トラブルを回避できる。
【００１０】
また、前記装填されたカートリッジから前記記録材料を画像形成部に向けて給送するように前記装填部の近傍に一対のローラから構成される搬送ローラ対を配置することで、先端部が折れずに内部に案内された記録材料をジャム等の搬送トラブルなしで搬送ローラ対により画像形成部に向けて給送できる。
【００１１】
この場合、前記搬送ローラ対において前記ロール状に巻回した記録材料の先端部に生じたカールが向く側に位置するローラを摩擦抵抗の少ない滑り性ある材質から構成し、もう一方のローラを摩擦抵抗の高い材質のローラから構成し、前記カートリッジの装填のときに前記摩擦抵抗の高い材質のローラを圧着解除方向に移動させることで、前記搬送ローラ対に記録材料装填のための隙間を形成するように構成できる。先端部が折れずに内部に案内された記録材料を上記隙間へと案内し、搬送ローラ対に挟持してジャム等の搬送トラブルなしで画像形成部に向けて給送できる。
【００１２】
この場合、前記記録材料の先端部を前記ガイド部材から更に前記カールが向く側に位置するローラに向けてガイドするガイド部が設けられていることが好ましい。これにより、先端部が折れずに内部に案内された記録材料が上記隙間へと確実に案内され、先端部が折れずに搬送ローラ対に確実に挟持される。
【発明の効果】
【００１３】
本発明の画像記録装置によれば、カートリッジの装填時の記録材料先端部の折れを防止でき、かかる記録材料先端部の折れに起因するジャム等の搬送トラブルを回避できる。
【発明を実施するための最良の形態】
【００１４】
以下、本発明を実施するための最良の形態について図面を用いて説明する。図１は本実施の形態による画像記録装置全体の外観を示す斜視図である。図２は図１の画像記録装置の内部を正面側から見た図である。図３は図２の画像記録装置の搬送ローラ対やカット部等を含む給送部の要部平面図である。
【００１５】
図１に示すように、画像記録装置１は、シート状の記録材料に露光し画像を形成する露光ユニット１１と、露光された記録材料を現像する現像ユニット２１と、を備える。
【００１６】
露光ユニット１１は、図１に示すように、各種情報の表示を行うとともに、装置全体の操作のために情報入力可能なタッチパネルからなる表示部２と、内部にロール状に巻回されたシート状の記録材料である記録紙を収容したカートリッジ１３を給紙カバー３，４の開放後に装填可能な第１及び第２の装填部１２，１２’と、装置前面から取っ手５ｂを掴むことで開閉可能なように設けられた開閉扉５ａと、を備える。
【００１７】
現像ユニット２１は、メンテナンスのために開閉可能な上面パネル６と、前面には、現像処理液等の補充等のために開閉可能に設けられた補給パネル７と、を備える。
【００１８】
図２に示すように、露光ユニット１１は、装填部１２，１２’に装填されたカートリッジ１３から記録紙をドラム１０へと給送する第１の搬送ローラ対４０，４１及び第２の搬送ローラ対４２等を含む給送部１４と、を備える。
【００１９】
図２，図３に示すように、露光ユニット１１の給送部１４は、更に、第１の搬送ローラ対４０と第２の搬送ローラ対４２との間に配置され搬送中の記録紙をガイドする第１のガイド部材４５と、もう１つの第１の搬送ローラ対４１と第２の搬送ローラ対４２との間に配置され搬送中の記録紙をガイドする第２のガイド部材４６と、第１の搬送ローラ対４０と第１のガイド部材４５の入口側との間に配置されたカッタ部４３と、第１の搬送ローラ対４１と第２のガイド部材４６との間に配置されたカッタ部４４と、を備える。第１及び第２の搬送ローラ対４０，４１，４２は、入力した作動パルス信号で動作するパルスモータにより回転駆動される。
【００２０】
図３のように、装填部１２及び１２’の各カートリッジ１３からの記録紙の出口近傍に出口センサ５１、出口センサ５２をそれぞれ配置し、出口センサ５１、５２は反射型や透過型の光センサから構成でき、記録紙の有無を検出する。
【００２１】
また、第２の搬送ローラ対４２の下流側近傍には比較的幅狭の従動ローラ４７が配置され記録紙の移動とともに従動回転する。また、従動ローラ５３がドラム１０の回転に従動回転するように配置され、第２の搬送ローラ対４２、従動ローラ４７から搬送されてきた記録紙が従動ローラ５３とドラム１０との間に挟まれてドラム１０の外周に巻き付く。
【００２２】
また、図３の破線で示すようにロータリエンコーダ５４が従動ローラ４７と同軸に連結されており、記録紙の移動により回転する従動ローラ４７の回転量を検出し、この検出した回転量に基づいて第２の搬送ローラ対４２を通過し従動ローラ４７を通過した記録紙の長さを測定できる。
【００２３】
図３のカッタ部４３，４４は、第１の搬送ローラ対４０，４１の下流側近傍でありかつ第１のガイド部材４５、第２のガイド部材４６の各入口側近傍にそれぞれ位置し、記録紙を所定のタイミングで所定長さに切断するようになっている。
【００２４】
露光ユニット１１は、更に、搬送ローラ対４２から搬送され基準ローラ４７を通過して従動ローラ５３との間に給送された記録紙を外周面に真空吸引し保持しながら主走査のために回転方向Ｒに回転するドラム１０と、ドラム１０上の記録紙に対しＬＥＤ光やレーザ光等の光ビームを露光する光学ユニット１６と、光学ユニット１６を副走査のために副走査方向（図２の紙面垂直方向）に搬送する副走査部１７と、画像記録後のドラム上の記録紙を剥離する剥離部材１８ａと、剥離した記録紙を搬送ローラ対５５へと案内するガイド部１５と、を備える。露光後の記録紙は出口１９及び接続部１９ａを通して現像ユニット２１へと搬送される。
【００２５】
図２の画像記録装置１の現像ユニット２１は、露光ユニット１１から送られた露光後の記録紙について湿式現像を行うもので、記録紙の現像処理を行う現像部２３と、定着処理を行う定着部２４と、安定処理を行う安定部２５と、乾燥処理を行う乾燥部２６と、乾燥された記録紙を搬送ローラ対２７ａ等で外部に排出する排出部２７と、を備える。
【００２６】
次に、図１の装填部１２，１２’に配置したガイド部材及び各装填部の直下に設けた搬送ローラ対について図４，図５，図６を参照して説明する。
【００２７】
図４（ａ）は図１の装填部１２，１２’に配置したガイド部材及び搬送ローラ対を装置上面側から見た要部平面図であり、図４（ｂ）は図４（ａ）のガイド部材を装置前面から見た要部正面図である。図５は図４のガイド部材の一方を示す斜視図である。図６は図１〜図３の装填部１２，１２’に装填されるカートリッジの概略的な斜視図である。
【００２８】
図２〜図４に示す搬送ローラ対４０は、図１〜図３の装填部１２の直下に配置されており、摩擦抵抗の高いゴム材料等の材質からなる駆動側のローラ４０ｂと、フェノール樹脂でベーキングにより硬化され摩擦抵抗の少ない滑り性のある従動側のローラ４０ａと、を備え、駆動側のローラ４０ｂがパルスモータにより回転駆動されるとともに従動側のローラ４０ａが従動回転しながら、両ローラ４０ｂ、４０ａ間に記録紙を挟んだ状態で搬送する。
【００２９】
図３のように、駆動側のローラ４０ｂは、カートリッジ１３を装填部１２に装填するとき、ロータリソレノイド等の駆動源４８により回動方向ｒに若干回動することで、図４（ａ）のように、両ローラ４０ｂ、４０ａ間に隙間５０が形成され、隙間５０にカートリッジ１３からの記録紙が入り込むことができる。隙間５０に記録紙が入り込むと、駆動側のローラ４０ｂの駆動が解除され、両ローラ４０ｂ、４０ａは記録紙を挟んだ状態で図３のように圧着され、記録紙の搬送が可能になる。
【００３０】
なお、もう１つの装填部１２’の直下に配置された搬送ローラ対４１も上述の搬送ローラ対４０と同様に構成され、駆動側のローラ４１ｂと従動側のローラ４１ａとを備え、ローラ４１ａの軸端部に同様の円筒状の案内部材が設けられている。カートリッジ１３を装填部１２’に装填するとき、図３のように、駆動側のローラ４１ｂは、ロータリソレノイド等の駆動源４９により回動方向ｒに回動し、図５と同様に両ローラ４１ｂ、４１ａ間に隙間が形成される。
【００３１】
図１、図４（ａ）に示すように、装填部１２には装置奥側に向けて延びるように一対のガイド部材７１，６１が設けられ、ガイド部材７１，６１により装置前面側に開くように装填開口１２ａが形成されている。装填部１２’にも同様の一対のガイド部材が設けられ、装填開口１２ａが形成されている。
【００３２】
一対のガイド部材７１，６１の間には装填開口１２ａに連通して通路空間７９が形成される。カートリッジ１３を装填部１２に装填方向Ｔに向けて装填するとき、カートリッジ１３の下部から出た記録紙が通路空間７９に位置してガイド部材７１，６１にガイドされながら案内される。
【００３３】
ガイド部材７１，６１は、図４（ａ）のように平面的には、通路空間７９が装填開口１２ａで広く装填方向Ｔに向けて徐々に狭まるように構成されている。また、ガイド部材７１，６１の装填方向Ｔの終端には装填開口１２ａよりも幅狭の内部開口６０が形成される。内部開口６０は、図１のカートリッジ１３が載る装填部１２の底面の貫通溝１２ｄと連通している。カートリッジ１３の下部の記録紙給送口１３ａ（図３）から引き出された記録紙は、装填開口１２ａ、通路空間７９、内部開口６０を通過し、ローラ４０ｂ、４０ａの間の隙間５０へと導かれるようになっている。
【００３４】
図４，図５のように、ガイド部材７１は、記録紙Ｓの先端部のカール部分ｋが当接しながら装填開口１２ａから装填方向Ｔに向かうに従ってカール部分ｋを平坦に近づけるように傾斜している傾斜面に構成されている。
【００３５】
図４（ａ）、（ｂ）のように、ガイド部材７１の傾斜面７２，５３は、通路空間７９が装填開口１２ａで広く装填方向Ｔに向けて狭くなるように傾斜するとともに、装填開口１２ａの図４（ｂ）の上下方向で下部側が上部側よりも広く、内部に向けてねじれるよう下部側も次第に狭くなるように傾斜している。即ち、ガイド部材７１は、装填開口１２ａで傾斜面７３がガイド部材７１の上側７１ａで最も狭く下側７１ｂで最も広くなるように傾斜するとともに、装填方向Ｔに向けて上側７１ａ及び下側７１ｂでともに狭くなるように傾斜し、更に装填方向Ｔでは傾斜面７３がねじれるようにして傾斜面７２となり、傾斜面７２が上側７１ａ及び下側７１ｂでともに狭くなるように傾斜し、終端部７４に至る。終端部７４でガイド部材６１の終端部とともに内部開口６０を形成する。
【００３６】
次に、図１〜図５の画像記録装置１におけるカートリッジの装填動作について説明する。図６のように、カートリッジ１３の下部の記録紙給送口１３ａ（図３）から所定の長さで引き出された記録紙Ｓは、カートリッジ１３内でロール状に巻回されて収容されているため、記録紙Ｓの先端部にカール部分ｋが形成されており、カートリッジ１３を装填部１２に装填方向Ｔに装填するとき、カール部分ｋはガイド部材７１側に向いている。
【００３７】
図３の駆動源４８によりローラ４０ｂを回動方向ｒに若干回動させて図４（ａ）のように、両ローラ４０ｂ、４０ａ間に隙間５０を形成する。そして、図６のようなカートリッジ１３を図１の装填部１２に対し装置前面側から装置奥側に向けて押し込むようにして装填すると、記録紙Ｓは装填方向Ｔに装填開口１２ａから入り込むが、このとき、図５のように記録紙の先端部のカール部分ｋ１は、装填開口１２ａでガイド部材７１の下側７１ｂが最も広くなっているので、装填開口１２ａ近傍の傾斜面７３の下側７１ｂに容易に収まり下側７１ｂと接触する。
【００３８】
そして、カートリッジ１３を図１の装填部１２で装填方向Ｔに更に押し込むに従い、記録紙の先端部のカール部分ｋ１は傾斜面７３，５２の下側７１ｂに接触しながら倣うことで平坦に近づき、ガイド部材７１の終端部７４近傍では、記録紙の先端部のカール部分ｋ２がガイド部材７１の終端部７４でかなり延ばされてほぼ平坦になっている。
【００３９】
次に、カートリッジ１３を装填方向Ｔに更に押し込むと、記録紙の先端部のカール部分ｋ２がローラ４０ａの軸端部に導かれ、記録紙の先端部がローラ４０ａの外周面に接触または近接した状態で両ローラ４０ｂ、４０ａ間の隙間５０へと導かれる。そして、カートリッジ１３が装填部１２に完全に押し込まれて装填されると、記録紙の先端部が図１の貫通溝１２ｄを通り抜けて記録紙の幅方向で両ローラ４０ｂ、４０ａ間に位置する。
【００４０】
次に、図３の駆動源４８の駆動を解除することで両ローラ４０ｂ、４０ａ間に記録紙Ｓを挟んだ状態で両ローラ４０ｂ、４０ａを圧着させる。そして、ローラ４０ｂを駆動することで記録紙Ｓを画像形成部であるドラム１０に向けて搬送することができる。なお、装填部１２’においてもカートリッジ１３を上述と同様にして装填することができる。
【００４１】
以上のような図１〜図５の画像記録装置１によれば、カートリッジ１３を装填部１２，１２’の装填開口１２ａから装填する際に、カートリッジ１３の記録紙給送口１３ａから出た記録紙の先端部のカール部分ｋは、記録紙が装填方向Ｔに装填されるに従い、ガイド部材７１の傾斜面７３，５２に当接しながらその傾斜面７３，５２に倣って無理なく平坦に近づくことができ、略平坦な状態で記録紙の先端部を搬送ローラ対４０に挟持させることができる。このため、記録紙Ｓの先端部にカールが付いていても、先端部が折れずに装置内部に案内され、搬送ローラ対４０における先端部の折れに起因するジャム等の搬送トラブルを回避できる。
【００４２】
また、搬送ローラ対４０において記録紙の先端部のカール部分ｋ側に位置するローラ４０ａが滑り性のよい材質から構成されているので、記録紙の先端部がローラ４０ａに当たっても抵抗が比較的少ないので、搬送ローラ対４０の隙間５０でスムースに移動できる。
【００４３】
以上のように本発明を実施するための最良の形態について説明したが、本発明はこれらに限定されるものではなく、本発明の技術的思想の範囲内で各種の変形が可能である。例えば、図４（ａ）の一点鎖線のようにガイド部７１ｃをガイド部材７１の終端部７４からローラ４０ａの軸端部近傍まで延びるように設けることで、内部開口６０を通過した記録紙の先端部をローラ４０ａの軸端部に導くように構成してもよい。ガイド部７１ｃが内部開口６０を通過した記録紙の先端部をローラ４０ａの軸端部に導くことができるので、記録紙の先端部が折れずに装置内部に案内された記録紙がローラ４０ｂ、４０ａ間の隙間５０へと確実に案内され、先端部が折れずに搬送ローラ対４０に確実に挟持される。
【図面の簡単な説明】
【００４４】
【図１】本実施の形態による画像記録装置全体の外観を示す斜視図である。
【図２】図１の画像記録装置の内部を正面側から見た図である。
【図３】図２の画像記録装置のカートリッジやその直下の搬送ローラ対やドラム等を示す要部正面図である。
【図４】図４（ａ）は図１の装填部１２，１２’に配置したガイド部材及び搬送ローラ対を装置上面側から見た要部平面図であり、図４（ｂ）は図４（ａ）のガイド部材を装置前面から見た要部正面図である。図
【図５】図４のガイド部材７１を示す斜視図である。
【図６】図１〜図３の装填部１２，１２’に装填されるカートリッジの概略的な斜視図である。
【符号の説明】
【００４５】
１ 画像記録装置
１０ ドラム
１１ 露光ユニット
１２，１２’ 装填部
１２ａ 装填開口
１３ カートリッジ
１３ａ 記録紙給送口
２１ 現像ユニット
２７ａ 搬送ローラ対
４０ 搬送ローラ対
４０ａ 従動側のローラ
４０ｂ 駆動側のローラ
４１ 搬送ローラ対
４１ａ 従動側のローラ
４１ｂ 駆動側のローラ
５０ ローラ４０ｂ，４０ａ間の隙間
６０ 内部開口
６１ ガイド部材
７１ ガイド部材
７１ａ 上側
７１ｂ 下側
７１ｃ ガイド部
７２ 傾斜面
７３ 傾斜面
７４ 終端部
７９ 通路空間
Ｓ 記録紙（シート状の記録材料）
Ｔ 装填方向
ｋ，ｋ１，ｋ２ カール部分
【図１】
2006047905.tif 000003
【図２】
2006047905.tif 000004
【図３】
2006047905.tif 000005
【図４】
2006047905.tif 000006
【図５】
2006047905.tif 000007
【図６】
2006047905.tif 000008